(57)【要約】  本発明は、留め付け要素を基体面（被打ち込み面）に打ち込むための装置であって、重心を備え、打ち込みエネルギーを留め付け要素に伝達するために、開始位置と設置位置との間で移動可能なエネルギー伝達要素と、打ち込みエネルギーを供給するピストン駆動装置と、ハウジングと、留め付け要素を打ち込み中に案内するボルトガイドとを有し、ボルトガイドは重心の周りを回転可能にハウジングに装着される、装置に関する。【選択図】図２
2021506609.tif 000002
【特許請求の範囲】
【請求項１】
留め付け要素を下地表面（被打ち込み面）に打ち込むための装置であって、重心を備え、打ち込みエネルギーを前記留め付け要素に伝達するために、開始位置と設置位置との間で移動可能なエネルギー伝達要素と、打ち込みエネルギーを供給するピストン駆動装置と、ハウジングと、前記留め付け要素が打ち込まれる際に前記留め付け要素を案内するボルトガイドとを有し、前記ボルトガイドは、前記重心の周りを回転可能に前記ハウジングに装着されている、装置。
【請求項２】
前記装置は、前記重心の周りの前記ボルトガイドの回転運動を減衰させる減衰要素を有する、請求項１に記載の装置。
【請求項３】
前記ボルトガイドは、前記重心の周りを回転可能に前記ハウジングに装着されたホルダを有する、請求項１又は２に記載の装置。
【請求項４】
前記ホルダは、前記エネルギー伝達要素を制動するための減速要素を備える、請求項１乃至３の少なくとも１つに記載の装置。
【請求項５】
前記ボルトガイドが前記ハウジングに少なくとも２°、特に少なくとも３°、特に少なくとも５°の角度範囲で回転可能な方法で取り付けられている、請求項１乃至４の何れか１つに記載の装置。
【発明の詳細な説明】
【技術分野】
【０００１】
本願は、留め付け要素を下地表面（被打ち込み面）に打ち込むための装置に関する。
【背景技術】
【０００２】
かかる装置は、通常、エネルギーを留め付け要素に伝達するためのピストンを有する。これに必要なエネルギーは、非常に短時間で利用可能にする必要があり、その理由は、例えば、スプリング・ネイラとして既知のものの場合、打ち込み操作中に、最初にばねに張力を働かせ、このばねが急激なバーストでピストンに引張エネルギーを与え、ピストンを留め付け要素に加速させるからである。
【０００３】
留め付け要素が下地表面に打ち込まれるときの、突然のバーストで放出されるエネルギーは、反動を引き起こし、かかる装置のいくつかの構成要素に機械的負荷を加える。装置の重心がピストンの移動経路上又はその延長線上にない場合、反動はトルクを含み、留め付け要素が下地表面に打ち込まれる際に装置全体を傾斜させる。
【発明の概要】
【発明が解決しようとする課題】
【０００４】
本発明の目的は、冒頭で記載した装置の留め付けの質を改善することである。
【課題を解決するための手段】
【０００５】
目的は、留め付け要素を下地表面（被打ち込み面）に打ち込むための装置であって、重心を備え、打ち込みエネルギーを留め付け要素に伝達するために、開始位置と設置位置との間で移動可能なエネルギー伝達要素と、打ち込みエネルギーを供給するピストン駆動装置と、ハウジングと、留め付け要素が打ち込まれる際に留め付け要素を案内するボルトガイドとを有し、このボルトガイドは重心の周りを回転可能にハウジングに装着される、装置により達成される。回転可能に装着された結果として、ボルトガイドは、装置の残りの部分が反動により既に傾斜している場合でも、その質量慣性により所定の位置に留まる。これは、留め付け要素が下地表面に打ち込まれている期間にも当てはまる。
【０００６】
優位性のある態様では、装置が重心の周りのボルトガイドの回転運動を減衰させる減衰要素を有する。
【０００７】
優位性のある態様では、ボルトガイドが重心の周りを回転可能にハウジングに装着されたホルダを有する。このホルダは、エネルギー伝達要素を制動するための減速要素を備えることが好ましい。
【０００８】
優位性のある態様では、ボルトガイドが回転可能な方法で少なくとも２°の角度範囲でハウジングに取り付けられている。角度範囲は、少なくとも３°、特に好ましくは少なくとも５°であることが好ましい。
【０００９】
留め付け要素を下地表面に打ち込むための装置の実施例について、以下で例を挙げてより詳細に図面に基づき説明する。
【図面の簡単な説明】
【００１０】
【図１】打ち込み装置の側面図である。
【図２】ハウジングが開放された打ち込み装置の側面図である。
【図３】打ち込み装置の部分図である。
【図４】ボルトガイドの斜視図である。
【図５】打ち込み装置を示す図である。
【発明を実施するための形態】
【００１１】
図１は、例えば、釘又はボルトといった留め付け要素を、下地表面（被打ち込み面）に打ち込むための打ち込み装置１０の側面図である。打ち込み装置１０は、留め付け要素にエネルギーを伝達するためのエネルギー伝達要素（図示されていない）と、エネルギー伝達要素及びエネルギー伝達要素を前進させるための駆動装置（同様に図示されていない）とが収容されたハウジング２０とを有する。
【００１２】
打ち込み装置１０は、ハンドル３０と、マガジン４０と、ハンドル３０をマガジン４０に接続するブリッジ５０とをさらに有する。このマガジンは、取り外し可能ではない。足場等で打ち込み装置１０を吊るすための足場フック６０及び電気エネルギー貯蔵装置としての充電式バッテリ５９０がブリッジ５０に留め付けられている。トリガ３４及びグリップセンサとしての手動スイッチ３５は、ハンドル３０に配置されている。打ち込み装置１０は、留め付け要素を案内するための案内ダクト７００と、下地表面（図示されていない）からの打ち込み装置１０の距離を特定するための押圧装置７５０とをさらに有する。下地表面に垂直な打ち込み装置の位置合わせは、アライメント補助４５があるため容易となる。
【００１３】
図２は、ハウジング２０が開放された打ち込み装置１０を示す。ハウジング２０内には、図面には示されていない、エネルギー伝達要素を前進させるための駆動装置７０が収容されている。駆動装置７０は、充電式バッテリ５９０からの電気エネルギーを回転エネルギーへと変換するための電気モータ（図示されていない）と、運動変換部としての主軸駆動装置３００に電気モータのトルクを伝達するための歯車機構４００を備えたトルク伝達装置と、機械エネルギー貯蔵装置としてのばね２００に運動変換部から力を伝達するとともにばねからエネルギー伝達要素に力を伝達するためのローラートレイン２６０とを備えた力伝達装置とを備える。
【００１４】
図３は、ハウジング２０が開放された状態の打ち込み装置１０の斜視図である。ハウジング内には、前方ローラホルダ２８１を見ることができる。減速要素６００は、保持リング２６によってその位置に保持される。ノーズ６９０は、接触圧力センサ７６０及び非遮断要素７２０等を有する。押圧装置７５０は、好ましくは接触圧センサ７６０を備える案内ダクト７００と、連結ロッド７７０と、を有する。マガジン４０は、供給要素７４０と供給ばね７３５とを有する。
【００１５】
打ち込み装置１０は、例えば、途中で詰まった留め付け要素の取り外しをより容易にするために案内ダクト７００が取り外し可能となるように、ガイドダクト７００を解除するための解除スイッチ７３０をさらに有する。
【００１６】
図４は、留め付け要素を下地表面に打ち込むための、装置のノーズ６９０の斜視図である。このノーズ６９０は、後端側７０１を備えた、留め付け要素を案内するためのガイドダクト７００と、減速要素（図示されていない）を保持するために案内ダクト７００に対して設置軸に向かって変位可能に配置されたホルダ６５０とを備える。このホルダ６５０は、供給遮断装置７０４を備えたボルトレセプタクル６８０を有し、この供給遮断装置７０４を通して、複数の留め付け要素７０６を有する釘ストリップ７０５が、案内ダクト７００の発射部７０２に供給可能となっている。案内ダクト７００は、同時に、押圧装置の接触圧センサとして機能し、案内ダクト７００の変位中に同様に変位し、それ故下地表面と装置との接触圧力を示す連結ロッド７７０を有する。
【００１７】
図５は、重心１１０を備え、打ち込みエネルギーを留め付け要素（図示されていない）に伝達するために、開始位置と設置位置との間で移動可能なエネルギー伝達要素１２０と、打ち込みエネルギーを供給するピストン駆動装置１３０と、ハウジング１４０と、留め付け要素が打ち込まれる際に留め付け要素を案内するボルトガイド１５０とを有する打ち込み装置１００を示す。ボルトガイド１５０はホルダ１６０を有し、ホルダ１６０を介してのみハウジング１４０に装着される。このホルダ１６０は、ボルトガイド１５０の残りの部分と共に回転するように接続されている。重心１１０周りの回転について、ホルダ１６０及びそれ故にボルトガイド１５０がハウジング１４０に回転可能に装着されている。回転可能に装着された結果として、ボルトガイドは、留め付け要素が下地表面に打ち込まれる際にその質量慣性により下地表面に置かれた状態で留まり、留め付け要素が下地表面に打ち込まれるまで留め付け要素を確実に案内する。反動によって引き起こされる打ち込み装置１００、特にハウジング１４０の回転運動１７０が補償され、留め付けの質が改善される。
【００１８】
打ち込み装置１００は、ホルダ１６０の重心１１０から離れた側に、ホルダ１６０の前方及びハウジング１４０の支持要素１４５の後方に配置された減衰要素１８０を有し、それ故に、反動中にハウジング１４０に対する重心１１０周りのボルトガイド１５０の回転運動は減衰される。ボルトガイド１５０の対称的な取り付けのために、打ち込み装置１００はさらなる減衰要素１８５を有し、その減衰要素１８５はホルダ１６０の重心１１０に面する側に配置されるが、それ故に反動中のボルトガイド１５０の回転運動の減衰にさほど寄与しない。
【００１９】
ボルトガイドがハウジングに回転可能に装着される角度範囲は、ホルダ１６０と支持要素１４５との間の距離に依存し、この場合は５°である。そうでない場合は、ホルダ１６０は、エネルギー伝達要素１２０を制動するための減速要素１９０を備える。
【図１】
2021506609.tif 000003
【図２】
2021506609.tif 000004
【図３】
2021506609.tif 000005
【図４】
2021506609.tif 000006
【図５】
2021506609.tif 000007
【国際調査報告】
2021506609.tif 000008
2021506609.tif 000009
2021506609.tif 000010
2021506609.tif 000011